(57)【特許請求の範囲】
【請求項１】
紙面に記載された文字を読み取る読取手段と、
該読取手段で読み取られた文字を認識する文字認識手段と、
該文字認識手段によって認識した文字列の文字形式を解析する文字形式解析手段と、
上記文字認識手段によって認識した文字列のデータと上記文字形式解析手段によって解析された文字列の文字形式を示すデータ種別とを対応して記憶する記憶手段と、
該記憶手段に記憶された文字列のデータを表示する表示手段と、
該表示手段に表示されている文字列を本体装置に対するコマンドとして選択する選択手段と、
該選択手段で選択された文字列のデータ及び選択された文字列のデータ種別に対応するコマンドを本体装置へ送信する送信手段と、
を具備することを特徴とする端末装置。
【請求項２】
本体装置に対して、該本体装置からのデータ送信要求手段と、
本体装置から送信されたデータを受け、そのデータのデータ種別と共に対応して記憶する記憶手段と、
を更に具備することを特徴とする請求項１に記載の端末装置。
【発明の詳細な説明】
【０００１】
【発明の属する技術分野】
本発明は、ＷｅｂＴＶと称されるインターネット接続機能を持ったテレビジョン受像機やパーソナルコンピュータ（ＰＣ）等の本体装置に対するリモートコントローラとしての端末装置に関する。
【０００２】
【従来の技術】
近年、インターネットの普及により、ＷＷＷ（World Wide Web）ブラウザでホームページを閲覧する機会が増えている。
【０００３】
このホームページを閲覧する場合は、予め登録されたＵＲＬ（Uniform Resource Locator）若しくはＵＲＬの文字列を任意に入力して、このＵＲＬに対応するホームページを閲覧することになる。
【０００４】
【発明が解決しようとする課題】
しかしながら、このようなＵＲＬの文字列は、桁数が多く、また意味を持たない文字の組み合わせを用いる場合もあるため、入力するのに手間がかかったり、入力ミスが発生し易い。特に、雑誌や文書などに記載されたＵＲＬから該当のホームページを参照したい場合が多々あるが、その入力を迅速に行なえないという問題があった。
【０００５】
本発明の課題は、ＵＲＬ等の文字列を簡単且つ迅速に入力できるようにすることである。
【０００６】
【課題を解決するための手段】
請求項１の発明の手段は次の通りである。
読取手段は、紙面に記載された文字を読み取る。
文字認識手段は、上記読取手段で読み出された文書などに記載されたＵＲＬやメールアドレス等の文字を認識する。
文字形式解析手段は、上記文字認識手段によって認識した文字列の文字形式を解析する。
記憶手段は、上記文字認識手段によって認識した文字列のデータと上記文字形式解析手段によって解析された文字形式を示すデータ種別とを対応して記憶する。
表示手段は、上記記憶手段に記憶された文字列のデータを表示する。
選択手段によって、上記表示手段に表示されている文字列を本体装置に対するコマンドとして選択する。
送信手段は、上記選択手段で選択された文字列のデータ及び選択された文字列のデータ種別に対応するコマンドを本体装置へ送信する。
【０００７】
請求項１の発明の手段の作用は次の通りである。
文字認識手段は、読取手段で読み出された文書などに記載されたＵＲＬやメールアドレス等の文字を認識し、文字形式解析手段により、文字認識手段で認識した文字列の文字形式が例えばＵＲＬであるのかメールアドレスであるのかを解析する。記憶手段は、文字認識手段によって認識した文字列のデータと文字形式解析手段によって解析されたＵＲＬであるのかメールアドレスであるのかを示すデータ種別とを対応して記憶する。表示手段は、上記記憶手段に記憶された文字列のデータを表示する。そして、選択手段によって、該表示手段に表示されている文字列を本体装置に対するコマンドとして選択され、送信手段は、上記選択手段で選択された文字列のデータ及び選択された文字列のデータのデータ種別に対応するコマンドを本体装置へ送信する。例えば、解析結果がＵＲＬであれば、認識したＵＲＬ文字列とブラウザ起動コマンドとを、選択手段の選択に応じてＷｅｂＴＶやＰＣ等の本体装置に送信する。
【０００８】
従って、文書などに記載された文字列を見ながらキー入力するといった必要はなくなるので、ＵＲＬ等の文字列を簡単且つ迅速に入力できるようになる。
【０００９】
【発明の実施の形態】
以下、本発明の一実施の形態を図１の（Ａ）乃至図７を参照して説明する。
【００１０】
図１の（Ａ）及び（Ｂ）は、本発明の一実施の形態に係る端末装置１０の正面図及び底部から見た斜視図である。
【００１１】
この端末装置１０は、本体１１と先端部１２とからなり、その先端部１２内には、図示しないＷｅｂＴＶやＰＣ等の本体装置に対して光（赤外線）や電波等の無線によってデータやコマンドを送信するための発信デバイス１３と、本体装置から送られたデータやコマンドを受信するための受信デバイス１４とに加えて、画像読取機能及び文字認識機能を備えた文字読取デバイス１５が収納されている。そして、該先端部１２端面にそれぞれのデバイスに対応する発信用窓１３Ａ，受信用窓１４Ａ，及び文字読取用窓１５Ａが設けられている。
【００１２】
また、この先端部１２は、図示矢印方向に移動可能に構成されており、図示しない付勢手段によって本体１１から離れる方向に付勢されている。そして、操作者が、文書等から文字列を読み取ろうとして、上記文字読取デバイス１５の文字読取用窓１５Ａつまり先端部端面をその文書等の印刷された紙面に上記付勢力以上の力で押しつけると、該先端部１２が本体１１側に移動する。本体１１には、このときその移動を検出してＯＮする読取ＳＷ１６が設けられている。この読取ＳＷ１６としては、例えば、上記先端部１２が当該本体１１側に所定量以上移動したときに該先端部１２の後端が当接し、それ以上の移動により押下されるような摺動片を備えた機械的なスイッチを採用することができる。
【００１３】
本体１１上面には、タッチパネルを備えた液晶表示部１７と、発信釦１８，追加発信釦１９，受信釦２０，ブラウザの戻る釦２１Ａ及び進む釦２１Ｂ，等の各種釦が設けられている。また、該端末装置１０は、マウスとしても機能するものであり、そのためのマウス左釦２２Ａ及び右釦２２Ｂが設けられ、底面にはマウスボール２２Ｃが設けられている。
【００１４】
図１の（Ｃ）は、このような端末装置１０のブロック構成図である。図中の参照番号２３は、当該端末装置１０全体を制御する制御部としてのＣＰＵである。２４は上記各種釦及び液晶表示部１７上に配された不図示タッチパネル等を制御する入力制御部であり、２５はＲＯＭ、２６はＲＡＭである。これらＲＯＭ２５やＲＡＭ２６は、上記ＣＰＵ２３で実行される処理プログラムやデータ等が記憶されるものである。また、２７は上記読取ＳＷ１６のオン／オフに応じて上記文字読取デバイス１５を制御する文字読取制御部であり、２８は上記発信デバイス１３及び受信デバイス１４としての送受信デバイス２９を制御するデータ送受信制御部である。そして、３０は、上記左釦２２Ａ及び右釦２２Ｂとマウスボール２２Ｃとによって構成されるマウス２２の操作を検知するマウス制御部である。
【００１５】
上記ＲＡＭ２６は、図２に示すように、管理エリア３１、コマンドエリア３２、データエリア３３に分けられている。
【００１６】
管理エリア３１には、コマンドエリア３２の先頭アドレス（ＳＴＡＲＴ）及び最終アドレス（ＥＮＤ）と、データエリア３３の先頭アドレス及び最終アドレスとが記憶される。
【００１７】
コマンドエリア３２には、上記文字読取デバイス１５で読み取るべき文字列の文字形式つまりデータ種別それぞれに対応して、コマンド３２Ａと、追加コマンド３２Ｂ及び追加するか否かを示すフラグ３２Ｃとが記憶されている。
【００１８】
即ち、データ種別ＵＲＬについては、コマンド３２Ａとしてブラウザ起動コマンドが、追加コマンド３２Ｂとしてお気に入り追加コマンドが記憶されている。Ｅ−ｍａｉｌに関しては、コマンド３２Ａとしてメール起動コマンドが、追加コマンド３２Ｂとしてメールアドレス帳追加コマンドが記憶され、ＦＡＸに関しては、コマンド３２ＡとしてＦＡＸ起動コマンドが、追加コマンド３２ＢとしてＦＡＸ  Ｎｏ追加コマンドが記憶されている。そして、ＴＥＬについては、コマンド３２ＡとしてＴＥＬ起動コマンドが、追加コマンド３２ＢとしてＴＥＬ  Ｎｏ追加コマンドが記憶されている。また、フラグ３２Ｃは、それが「０」のときは追加することを示し、「１」のときは追加しないことを示す。
【００１９】
データエリア３３には、上記文字読取デバイス１５で読み取った文字列３３Ａと、その文字列の文字形式つまりデータ種別の情報３３Ｂと、当該データを発信したかどうかを示す発信済みフラグ３３Ｃとを１レコードとして記憶している。また、Ｅ−ｍａｉｌやＦＡＸの場合には、メール本文やＦＡＸ本文を上記文字読取デバイス１５を利用してイメージデータとして読み取り、その読み取ったイメージデータを添付ファイル又はＦＡＸデータ３３Ｄとして保存するようにしている。このとき、上記レコードには、その添付ファイル又はＦＡＸデータ３３Ｄのメモリアドレス３３Ｅも記憶されることになる。この添付ファイル又はＦＡＸデータ３３Ｄに記憶されたイメージデータは、本体装置に送られ、Ｅ−ｍａｉｌであれば添付ファイルとして、ＦＡＸであればＦＡＸデータとして送信されることになる。また、上記発信済みフラグ３３Ｃは、それが「０」のときは未発信、「１」のときは選択、「２」のときは発信済みを示し、その値により、発信の優先順をも現すことになる。
【００２０】
図３の（Ａ）は、ＷｅｂＴＶやＰＣ等の本体装置１００の構成を示す図である。同図において、参照番号１０１は該本体装置１００全体を制御する制御部としてのＣＰＵである。１０２はキーボードやマウス等の入力部であり、１０３はＣＲＴや液晶ディスプレィ等の表示部である。１０４はＲＯＭであり、１０５はＲＡＭである。ここれらＲＯＭ１０４やＲＡＭ１０５は、上記ＣＰＵ１０１で実行される当該本体装置１００の処理プログラムやデータ等を記憶するものである。また、１０６は無線あるいは有線により図示しない各種サーバに接続するためのネットワーク制御部であり、１０７は送受信デバイス１０８を介して上記端末装置１０との間でデータ交換を行うためのデータ送受信制御部である。
【００２１】
次に、このような構成における動作を説明する。
図３の（Ｂ）及び図４は、本発明の一実施の形態に係る端末装置１０での読取ＳＷ１６のＯＮ／ＯＦＦ時又は受信釦２０押下時の動作を説明するための一連のフローチャートを示している。
【００２２】
即ち、端末装置１０を紙面に押しつけると読取ＳＷ１６がＯＮし、これに応じて、ＣＰＵ２３は、文字読取制御部２７により読取デバイス１５を制御して紙面に記載された文字を読み取り、その後、該端末装置１０の上記紙面への押しつけがなくなって読取ＳＷ１６がＯＦＦすると、読取デバイス１５による読み取りを終了させ、上記読取ＳＷ１６がＯＮの間に読み取った文字列を認識する（ステップＳ１２）。そして、その認識結果より、読み取った文字列の文字形式を解析する（ステップＳ１２）。
【００２３】
ここで、ＵＲＬは、通常、「ｈｔｔｐ：／／○○○○．○○」や「ｈｔｔｐ：／／ｗｗｗ．○○○○．○○」あるいは「ｗｗｗ．○○○○．○○」という形式で書籍や文書等に記載されている。そこで、認識した文字列がそのような形式であるか、あるいは認識文字列の先頭部分に「ｈｔｔｐ：／／」や「ｗｗｗ」という特定の文字列が含まれていれば、読み取った文字列の文字形式はＵＲＬであるとする。あるいは、文字列に対応して予め定められた記号やアンダーラインなどを記入し、これを読み取ることにより、ＵＲＬであると見なしても良い。
【００２４】
また、メールアドレスは、通常、「○○○＠○○○．○○」という形式で文書や名刺等に記載されている。そこで、認識した文字列がそのような形式であるか、あるいは認識文字列中に「＠」が含まれていれば、読み取った文字列の文字形式はメールアドレスであるとする。あるいは、文字列の先頭部分の文字列に「Ｅ−ｍａｉｌ」など特定の文字列が含まれていればメールアドレスであるとする。
【００２５】
一方、ＦＡＸ番号と電話番号は「○○○−○○○−○○○○」等の同じ形式であるが、その番号の前に「ＦＡＸ」又は「ＴＥＬ」という文字列が付されて記載されているのが普通である。そこで、認識した文字列中に「ＦＡＸ」が含まれていれば、読み取った文字列の文字形式はＦＡＸであり、「ＴＥＬ」が含まれていれば、読み取った文字列の文字形式はＴＥＬであるとする。
【００２６】
而して、上記ステップＳ１２における文字形式の解析の結果がＵＲＬであれば（ステップＳ１３）、ＲＡＭ２６の管理エリア３１に記憶されたデータエリアのアドレスに基づいて、データエリア３３に、認識した文字列３３Ａとして認識したＵＲＬのデータと、データ種別の情報３３ＢとしてＵＲＬのデータ種別とを追記すると共に発信済みフラグ３３Ｃに未発信を示す「０」を設定して（ステップＳ１４）、この処理を終了する。
【００２７】
また、上記ステップＳ１２における文字形式の解析の結果がメールアドレスであった場合には（ステップＳ１５）、ＲＡＭ２６の管理エリア３１に記憶されたデータエリアのアドレスに基づいて、ＲＡＭ２６のデータエリア３３に、認識した文字列３３Ａとして認識したメールアドレスのデータと、データ種別の情報３３ＢとしてＥ−ｍａｉｌのデータ種別とを追記する（ステップＳ１６）。このとき、発信済みフラグ３３Ｃには、未発信を示す「０」を設定する。その後、液晶表示部１７に添付ファイルの読み取りを促すメッセージを表示する（ステップＳ１７）。そして、このメッセージに応じて操作者が、紙面上に記載された送信すべきメール本文を該端末装置１０で走査して読取デバイス１５によりイメージデータとして読み取ると（ステップＳ１８）、それを添付ファイル又はＦＡＸデータ３３Ｄとして記憶する（ステップＳ１９）。そして、その添付ファイル又はＦＡＸデータ３３Ｄのメモリアドレスを設定して、該添付ファイル又はＦＡＸデータ３３Ｄを上記メールアドレスと対応付けた後（ステップＳ２０）、この処理を終了する。
【００２８】
また、上記ステップＳ１２における文字形式の解析の結果がＦＡＸ番号であった場合には（ステップＳ２１）、ＲＡＭ２６の管理エリア３１に記憶されたデータエリアのアドレスに基づいて、ＲＡＭ２６のデータエリア３３に、認識した文字列３３Ａとして認識したＦＡＸ  Ｎｏのデータと、データ種別の情報３３ＢとしてＦＡＸのデータ種別とを追記する（ステップＳ２２）。このとき、発信済みフラグ３３Ｃには、未発信を示す「０」を設定する。その後、液晶表示部１７にＦＡＸデータの読み取りを促すメッセージを表示する（ステップＳ２３）。そして、このメッセージに応じて操作者が、紙面上に記載された送信すべきＦＡＸ本文を該端末装置１０で走査して読取デバイス１５によりイメージデータとして読み取ると（ステップＳ２４）、それを添付ファイル又はＦＡＸデータ３３Ｄとして記憶する（ステップＳ２５）。そして、その添付ファイル又はＦＡＸデータ３３Ｄのメモリアドレスを設定して、該添付ファイル又はＦＡＸデータ３３Ｄを上記ＦＡＸ  Ｎｏと対応付けた後（ステップＳ２６）、この処理を終了する。
【００２９】
また、上記ステップＳ１２における文字形式の解析の結果が電話番号であった場合には（ステップＳ２７）、ＲＡＭ２６の管理エリア３１に記憶されたデタエリアのアドレスに基づいて、ＲＡＭ２６のデータエリア３３に、認識した文字列３３Ａとして認識したＴＥＬ  Ｎｏのデータと、データ種別の情報３３ＢとしてＴＥＬのデータ種別とを追記すると共に発信済みフラグ３３Ｃに未発信を示す「０」を設定して（ステップＳ２８）、この処理を終了する。
【００３０】
そして、上記ステップＳ１２における文字形式の解析の結果がＵＲＬ，メールアドレス，ＦＡＸ番号，電話番号の何れでもないときには、液晶表示部１７に読み取りエラーの表示を行って（ステップＳ２９）、この処理を終了する。
【００３１】
また、受信釦２０が押下されたときには、ＣＰＵ２３は、ＵＲＬ要求コマンドを、データ送受信制御部２８の制御により送受信デバイス２９から本体装置１００に対して送信して（ステップＳ３０）、受信待ちとなる（ステップＳ３１）。そして、正常に送受信デバイス２９により本体装置１００からＵＲＬデータを受信すると、上記ステップＳ１４に進んで、その受信したＵＲＬデータを保存することになる。これに対して、所定の時間を経過してもＵＲＬデータを受信しない場合には、受信エラーとして、この処理を終了する。
【００３２】
以上のようにして、読取デバイス１５によって読み取って或いは本体装置１００から受信してＲＡＭ２６のデータエリア３３に記憶された各データの内、何れを本体装置１００に対して発信するかは、図５の（Ａ）に示すようなデータ編集処理によって選択される。
【００３３】
即ち、液晶表示部１７に表示されたメニュー画面においてタッチ入力によりデータ編集を指定すると、ＣＰＵ２３はまず、データエリア３３のレコードをデータ種別の情報３３Ｂに記憶されたデータ種別で且つ優先順に並び換えて（ステップＳ４１）、液晶表示部１７に表示する（ステップＳ４２）。なおここで、優先順は、発信済みフラグ３３Ｃの値により示されるもので、未発信を示す「０」が一番高く、選択を示す「１」が次に高く、発信済みを示す「２」が最も低いものとする。そして、操作者がこの表示を見て、タッチ入力により所望の発信データを選択し、また所望の発信データが複数ある場合にはそれらの発信順を選択する（ステップＳ４３）。これに応じて、ＣＰＵ２３は、上記選択された発信順にレコードを配列しなおし、それら選択された発信データにおける発信済みフラグ３３Ｃに選択を示す「１」を設定して（ステップＳ４４）、この処理を終了する。
【００３４】
而して、操作者が発信釦１８を押下すると、ＣＰＵ２３は、図５の（Ｂ）に示すような発信処理を実行する。
【００３５】
即ち、まず、送受信デバイス２９により本体装置１００と接続されたことを確認したならば（ステップＳ５１）、ＲＡＭ２６のデータエリア３３に記憶されている各レコードの発信済みフラグ３３Ｃを参照して未発信のデータが有るかどうかを判別する（ステップＳ５２）。ここで、未発信データが有れば、未発信データのうち最新のものを発信すべきデータとして選択し（ステップＳ５３）、また、未発信データが無い場合には、優先度の高いものを発信すべきデータとして選択する（ステップＳ５４）。そして、選択されたデータのデータ種別の情報３３Ｂに記憶されたデータ種別に応じたコマンド３２Ａをコマンドエリア３２より得て、それを選択されたデータに付加して送受信デバイス２９により本体装置１００に対して発信する（ステップＳ５５）。なおこのとき、データ種別の情報３３Ｂに記憶されたデータ種別がＥ−ｍａｉｌ或いはＦＡＸのときは、メモリアドレス３３Ｅにより示される添付ファイル又はＦＡＸデータ３３Ｄに記憶されたイメージデータも発信する。そしてその後、当該データの発信済みフラグ３３Ｃを発信済みを示す「２」に更新して（ステップＳ５６）、この処理を終了する。
【００３６】
なお、操作者が追加発信釦１９を押下した場合も、上記発信釦１８の押下時と同様の処理を行う。但しこの場合は、上記ステップＳ５５において、更に、対応する追加コマンド３２Ｂも付加して発信されることになる。
【００３７】
また、マウスボール２２Ｃの回転（つまり該端末装置１０の移動操作）、マウス釦２２Ａ，２２Ｂのクリック操作、及びブラウザの戻る釦２２Ａ及び進む釦２２Ｂの押下操作、等がなされた場合には、その操作に応じた信号が送受信デバイス２９により本体装置１００に発信される。
【００３８】
図６及び図７は、本体装置１００の動作を説明する一連のフローチャートを示している。この一連のフローチャートに記載した各機能を実現するプログラムは、ＣＰＵ１０１が読み取り可能なプログラムコードの形態でＲＯＭ１０４もしくはＲＡＭ１０５に記憶されている。
【００３９】
即ち、まず、送受信デバイス１０８により端末装置１０からコマンドを受信すると、そのコマンドを解析する（ステップＳ１０１）。そして、受信したコマンドがブラウザ起動コマンドであれば（ステップＳ１０２）、現在、ＷＷＷブラウザソフトウェアが既に起動しているかどうかを判別する（ステップＳ１０３）。ここで、それが既に起動していれば後述するステップＳ１０５に進み、まだ起動していないときには、それを起動する（ステップＳ１０４）。そして、送受信デバイス１０８で受信した上記コマンドに付加されているデータ即ちＵＲＬアドレスを設定して、ネットワーク制御部１０６によりＷＷＷサーバへそれを送信し（ステップＳ１０５）、ＷＷＷサーバから送られてくるホームページのデータを表示部１０３に表示する（ステップＳ１０６）。その後、送受信デバイス１０８で受信した上記コマンドに更に追加コマンド即ちお気に入り追加コマンドが付加されているかどうかを判別し（ステップＳ１０７）、それが無い場合にはこの処理を終了する。これに対して、お気に入り追加コマンドが有る場合には、ＲＡＭ１０５の所定領域に設けたお気に入り保存エリアに、そのＵＲＬアドレスを追加して（ステップＳ１０８）、この処理を終了する。
【００４０】
また、受信したコマンドがメール起動コマンドであった場合には（ステップＳ１０９）、現在、メールソフトウェアが既に起動しているかどうかを判別する（ステップＳ１１０）。ここで、それが既に起動していれば後述するステップＳ１１２に進み、まだ起動していないときには、それを起動する（ステップＳ１１１）。そして、送受信デバイス１０８で受信した上記コマンドに付加されているデータ即ちメールの宛先と添付ファイルを設定して、ネットワーク制御部１０６によりメールサーバへメールを送信する（ステップＳ１１２）。その後、送受信デバイス１０８で受信した上記コマンドに更に追加コマンド即ちメールアドレス帳追加コマンドが付加されているかどうかを判別し（ステップＳ１１３）、それが無い場合にはこの処理を終了する。これに対して、メールアドレス帳追加コマンドが有る場合には、ＲＡＭ１０５の所定領域に設けたメールアドレス帳エリアに、そのメール宛先を追加して（ステップＳ１１４）、この処理を終了する。
【００４１】
また、受信したコマンドがＦＡＸ起動コマンドであった場合には（ステップＳ１１５）、ＦＡＸソフトウェアを起動する（ステップＳ１１６）。そして、送受信デバイス１０８で受信した上記コマンドに付加されているデータ即ちＦＡＸ宛先とＦＡＸデータを設定して、ネットワーク制御部１０６によりＦＡＸデータをＦＡＸ送信する（ステップＳ１１７）。その後、送受信デバイス１０８で受信した上記コマンドに更に追加コマンド即ちＦＡＸ  Ｎｏ追加コマンドが付加されているかどうかを判別し（ステップＳ１１８）、それが無い場合には後述するステップＳ１２０に進む。これに対して、ＦＡＸ  Ｎｏ追加コマンドが有る場合には、ＲＡＭ１０５の所定領域に設けたＦＡＸアドレス帳エリアに、そのＦＡＸ宛先を追加する（ステップＳ１１９）。そして、ＦＡＸソフトウェアを終了して（ステップＳ１２０）、この処理を終了する。
【００４２】
また、受信したコマンドがＴＥＬ起動コマンドであった場合には（ステップＳ１２１）、送受信デバイス１０８で受信した上記コマンドに付加されているデータ即ちＴＥＬ宛先を設定して、ネットワーク制御部１０６により発呼を行い、通話状態として（ステップＳ１２２）、この処理を終了する。
【００４３】
また、受信したコマンドがＵＲＬ要求コマンドであった場合には（ステップＳ１２３）、現在、ＷＷＷブラウザソフトウェアが既に起動しているかどうかを判別する（ステップＳ１２４）。ここで、それが既に起動していれば、現在のＵＲＬアドレスを取得して（ステップＳ１２５）、その取得したＵＲＬアドレスを送受信デバイス１０８により端末装置１０に送信し（ステップＳ１２６）、この処理を終了する。これに対して、上記ステップＳ１２４でＷＷＷブラウザソフトウェアが起動していないと判別されたときには、送受信デバイス１０８によりエラー信号を上記端末装置１０に送信して（ステップＳ１２７）、この処理を終了する。
【００４４】
また、受信したコマンドが、これらブラウザ起動コマンド，メール起動コマンド，ＦＡＸ起動コマンド，ＴＥＬ起動コマンド，ＵＲＬ要求コマンドの何れでもないときには、その受信したコマンドに対応じた処理、即ち、マウス操作に応じた処理やブラウザの戻る釦２２Ａ及び進む釦２２Ｂの押下操作に応じた処理を行って（ステップＳ１２８）、この処理を終了する。
【００４５】
以上詳述したように、本実施の形態では、文字読み取り，認識，送信機能を小型の端末装置１０に備え、この端末装置１０でＵＲＬなどを文字認識して、これを本体装置１００に送り、本体装置１００のＷＷＷブラウザソフトウェアを制御して、該当のホームページなどを表示制御することができるようになっている。
【００４６】
即ち、端末装置１０は、文字読み取り機能を有するリモートコントローラ形式のハンディタイプのものである。そして、文字読み取りの場合は、端末装置１０を紙面に押しつけると読取ＳＷ１６がＯＮし、文字認識モードになる。本体装置１００とは光，電波など無線で接続されており、発信釦１８でＵＲＬなどのデータが本体装置１００へ送信される。勿論、この端末装置１０と本体装置１００との間の接続は、例えばＵＳＢ（Universal Serial Bus）端子等により有線で接続される構成であっても良い。また、端末装置１０の先端部１２の先端面を紙面に押しつけることによって文字認識を作動させるようにしているため、操作者が読み取りのための特別の指定操作を行う必要はないが、例えば、読み取り開始を指定する操作ボタンを設けて、操作者がこの操作ボタンを操作することにより読み取りを開始するように構成しても良いことは勿論である。
【００４７】
更に、端末装置１０は、受信釦２０の操作によって、本体装置１００から現在表示中のＵＲＬなどのデータを受け、当該端末装置１０側に登録する機能を有し、次回からは当該端末装置１０の釦操作でブラウジングを可能にしている。また、ブラウザの戻る釦２１Ａ，進む釦２１Ｂも端末装置１０側に設けたことで、表示の制御が可能であり、更にはマウス機能も備えているので、ホームページ内のリンク先へ接続してそのホームページを閲覧することが端末装置１０の操作だけで行える。このほかにも、本体装置１００のアプリケーションのコマンドを任意に端末装置１０側に取り込んで設定し、端末装置１０側から操作できるようにしても良い。
【００４８】
また、端末装置１０はタッチパネル付きの液晶表示部１７を有し、端末装置１０内に登録されているＵＲＬデータなどを読み出して表示し、これを削除，訂正などの編集を行なうことができる。
【００４９】
なお、端末装置１０には、本体装置１００がテレビジョン受像機機能を有している場合にはテレビジョンチャンネルの選択ボタンを有しても良く、また、上記一実施の形態に開示したマウス２２に限定せず、例えば、マウスカーソルを移動操作するタッチパネルを備えた構成であっても良い。
【００５０】
また、メールの添付ファイルやＦＡＸの本文データはイメージデータの形式で本体装置１００へ送信する例を示したが、そのイメージデータを端末装置１０側で文字認識して文字コードの形式で送信しても良い。
【００５１】
その他、本発明の要旨を逸脱しない範囲で、種々の変形変更が可能なことは勿論である。
【００５２】
【発明の効果】
本発明によれば、文字読み取り、認識、コマンド選択、コマンド送信機能を小型の端末装置に備え、この端末装置で紙面から読み取ったＵＲＬなどを基にコマンドを本体装置に送ることにより、本体装置のＷＷＷブラウザソフトウェアなどを制御して、該当のホームページなどの表示制御を簡単且つ迅速に行なうことができる。
【図面の簡単な説明】
【図１】（Ａ）及び（Ｂ）はそれぞれ本発明の一実施の形態に係る端末装置の外観を示す正面図及び底部から見た斜視図であり、（Ｃ）は該端末装置のブロック構成図である。
【図２】端末装置のＲＡＭの記憶構成を示す図である。
【図３】（Ａ）は本体装置の構成を示すブロック図であり、（Ｂ）は端末装置での読取ＳＷのＯＮ／ＯＦＦ時又は受信釦押下時の動作を説明するための一連のフローチャートの前半部分を示す図である。
【図４】端末装置での読取ＳＷのＯＮ／ＯＦＦ時又は受信釦押下時の動作を説明するための一連のフローチャートの後半部分を示す図である。
【図５】（Ａ）及び（Ｂ）はそれぞれ端末装置におけるデータ編集処理及び発信処理のフローチャートを示す図である。
【図６】本発明の一実施の形態に係る端末装置の適用される本体装置の動作を説明する一連のフローチャートの前半部分を示す図である。
【図７】本発明の一実施の形態に係る端末装置の適用される本体装置の動作を説明する一連のフローチャートの後半部分を示す図である。
【符号の説明】
１０  端末装置
１１  本体
１２  先端部
１３  発信デバイス
１３Ａ  発信用窓
１４  受信デバイス
１４Ａ  受信用窓
１５  文字読取デバイス
１５Ａ  文字読取用窓
１６  読取ＳＷ
１７  液晶表示部
１８  発信釦
１９  追加発信釦
２０  受信釦
２１Ａ  戻る釦
２１Ｂ  進む釦
２２Ａ  マウス左釦
２２Ｂ  マウス右釦
２２Ｃ  マウスボール
３１  管理エリア
３２  コマンドエリア
３２Ａ  コマンド
３２Ｂ  追加コマンド
３２Ｃ  追加するか否かを示すフラグ
３３  データエリア
３３Ａ  文字列
３３Ｂ  データ種別の情報
３３Ｃ  発信済みフラグ
３３Ｄ  添付ファイル又はＦＡＸデータデータ
３３Ｅ  メモリアドレス
【図１】
0003826606.tif 000002
【図２】
0003826606.tif 000003
【図３】
0003826606.tif 000004
【図４】
0003826606.tif 000005
【図５】
0003826606.tif 000006
【図６】
0003826606.tif 000007
【図７】
0003826606.tif 000008